(57)【要約】【課題】本発明は、圧縮器と回動可能な除湿ローターを備えた除湿装置において、除湿ローターの微少振動による騒音発生を抑制して、静音化を図ることを目的とする。【解決手段】本体ケース３内に設けられたヒートポンプ４は、圧縮機５と、圧縮機５の下流に順次設けた放熱器６、膨張手段７、吸熱器８とにより形成され、吸気口１から本体ケース３内に吸気した空気を放熱器６、吸熱器８を順次介して排気口２へと送風する送風手段９を設けるとともに、送風手段９の風路であって、放熱器６と吸熱器８の間に除湿体１８を設け、この除湿体１８はローターケース１６，１７内に除湿ローター１０を回動状態に設けた構成とし、除湿ローター１０とローターケース１６，１７の間に設けた円形のレール２８，２９と突起３０，円環状の突起３１をバネ体２６で押圧することにより、除湿ローター１０の振動を抑制して静音化することができる。【選択図】図１
2009189996.tif 000002
【特許請求の範囲】
【請求項１】
吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿体を設け、この除湿体はローターケース内に除湿ローターを回動状態に設けた構成とし、前記除湿ローターの表裏面の少なくとも一方と前記ローターケースの内壁面とで振動抑制手段を形成した除湿装置。
【請求項２】
振動抑制手段は、除湿ローターの表裏面の少なくとも一方に設けた円形レールと、この円形レールにローターケース内壁面から押し当てた突起とにより構成した請求項１記載の除湿装置。
【請求項３】
除湿ローターの表裏面の少なくとも一方に複数の円形レールを設け、これら複数の円形レールにローターケース内壁面から突起を押し当てた請求項２に記載の除湿装置。
【請求項４】
複数の円形レールは、除湿ローターの表裏面の少なくとも一方の中心から外方に放射状に伸ばした桟により一体化した請求項３に記載の除湿装置。
【請求項５】
円形レールの幅は突起の幅よりも大きくした請求項１〜４のいずれか一つに記載の除湿装置。
【請求項６】
円形レールの表面は平滑面とした請求項１〜５のいずれか一つに記載の除湿装置。
【請求項７】
円形レールと突起の一方を金属、他方を樹脂により形成した請求項１〜６のいずれか一つに記載の除湿装置。
【請求項８】
突起を円環状とした請求項１〜７のいずれか一つに記載の除湿装置。
【請求項９】
振動抑制手段は、除湿ローターを軸支した回転軸に装着したバネ体により構成した請求項１〜２のいずれか一つに記載の除湿装置。
【請求項１０】
バネ体は、円環状で、この円環状面は除湿ローター側とローターケース側に向けて交互に波打った形状とした請求項９に記載の除湿装置。
【発明の詳細な説明】
【技術分野】
【０００１】
本発明は、ヒートポンプを活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた。（例えば、これに類似する先行文献は下記特許文献１に記載されている）。
【０００４】
近年、さらに除湿能力の高い除湿装置が求められ、ヒートポンプに除湿ローターを組み合わせて除湿能力を高めた除湿装置が開発された。
【０００５】
すなわち、上記送風手段の風路であって、放熱器と吸熱器の間に、除湿ローターを設け、吸熱器部分で結露、除湿回収できなかった湿気をこの除湿ローターで吸湿し、再度この除湿ローターから放熱器部分に放湿させ、これによって除湿能力を高めようとする構成とするものである。（例えば、これに類似する先行文献は下記特許文献２に記載されている）。
【特許文献１】特開平６−３３１１６７号公報
【特許文献２】特開２００６−１０２５７８号公報
【発明の開示】
【発明が解決しようとする課題】
【０００６】
近年の気密性・遮音性の高い住宅においては、機器から発生する僅かな音であっても気になる場合があり、そのため、除湿装置にもより高い静音性が求められてきた。
【０００７】
上記除湿ローターを用いた除湿装置は、上述の如く除湿能力の高いものとなっているが、圧縮機の振動が除湿ローターに伝播することにより、この除湿ローターとローターケースとの間で振動音が発生し、これが静音環境においては気になる場合がある。
【０００８】
そこで本発明は、除湿装置の静音化を図ることを目的とするものである。
【課題を解決するための手段】
【０００９】
この目的を達成するために本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿体を設け、この除湿体はローターケース内に除湿ローターを回動状態に設けた構成とし、前記除湿ローターの表裏面の少なくとも一方と前記ローターケースの内壁面とで振動抑制手段を形成し、これにより初期の目的を達成するものである。
【発明の効果】
【００１０】
以上のように本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿体を設け、この除湿体はローターケース内に除湿ローターを回動状態に設けた構成とし、前記除湿ローターの表裏面の少なくとも一方と前記ローターケースの内壁面とで振動抑制手段を形成したものであり、除湿装置を静音化させることができるものである。
【００１１】
すなわち、本発明では、前記除湿ローターの表裏面の少なくとも一方と前記ローターケースの内壁面とで振動抑制手段を形成したものであるので、たとえ圧縮機の振動が除湿ローターに伝わっても、ここに設けた振動抑制手段により気になる振動音の発生を抑制でき、この結果として静音化できるのである。
【発明を実施するための最良の形態】
【００１２】
以下本発明の一実施形態を添付図面を用いて説明する。
【００１３】
図３に示すごとく、本実施形態の除湿装置は、吸気口１と排気口２を有する本体ケース３と、この本体ケース３内に設けられたヒートポンプ４とを備えている。
【００１４】
ヒートポンプ４は、圧縮機５と、圧縮機５の下流に順次設けた放熱器６、膨張手段７、吸熱器８とにより形成している。
【００１５】
吸気口１から本体ケース３内には、送風手段９により空気が吸気され、この吸気された空気は、さらに放熱器６、吸熱器８を順次介して排気口２へと送風される。
【００１６】
本実施形態において特徴は、送風手段９の風路であって、放熱器６と吸熱器８の間に除湿ローター１０の放湿部１１を設け、この除湿ローター１０の吸湿部１２は吸熱器８と排気口２の間に設けたこと、およびこの風路の放熱器６と除湿ローター１０の放湿部１１との間にヒーター１１Ａを介在させたこと、さらに本体ケース３の吸気口１の下方に吸気口１Ａを設けるとともにこの吸気口１Ａから吸熱器８にいたる風路に風量調整手段１３を介在させたことである。
【００１７】
すなわち、圧縮機５で加圧された冷媒は、放熱器６に送られ、ここで吸気口１から本体ケース３内に吸気された空気を加熱する。次に、放熱器６を通過した冷媒は、膨張手段７に到達し、その後、吸熱器８、次に風量調整手段１３を介して、圧縮機５へと戻るサイクルになっている。
【００１８】
放熱器６で加熱された空気は、次にヒーター１１Ａで加熱され、除湿ローター１０の放湿部１１を通過し、ここで放湿部１１からの湿気を奪った状態で吸熱器８へと流れることになる。
【００１９】
ここでまず、除湿ローター１０の放湿部１１を通過した空気は、吸熱器８で結露が行われ、この結露水は貯水タンク１４へと貯められることになる。
【００２０】
さて、吸熱器８を通過した空気は、この吸熱器８によって低温となるが、低温ながらも湿度は極めて高い状態となっている。この高い湿度を含んだ低温の空気は、次に除湿ローター１０の吸湿部１２を通過することになるのであるが、この吸湿部１２は、駆動手段１５により回転駆動されることにより図３の上方の放湿部１１部分ですでに放湿し、湿度が低い状態となっているものであるので、上記低温ながらも湿度は極めて高い状態の空気から湿気を吸湿することができる。
【００２１】
これらのことから、本実施形態の除湿装置は、除湿効果の極めて高いものとすることができる。
【００２２】
また、本実施形態においては上述のごとく吸気口１から排気口２に向かう第一の風路と、吸気口１Ａから排気口２に向かう第二の風路を設けるとともにこの第二の風路に風量調整手段１３を介在させている。
【００２３】
このような構成において図４を用いて例えば季節に応じた運転モードについて説明する。
【００２４】
まず、定格除湿モードにおいては圧縮機５、送風手段９、駆動手段１５をＯＮ状態とし、ヒーター１１ＡはＯＦＦさらに風量調整手段１３は小開口状態とする。
【００２５】
すなわち、風量調整手段１３は、図５のごとく３段の階段形状とし、この階段形状体を回転駆動する構成としているので、吸気口１Ａから吸熱器８に至る風路を小開口、中開口、大開口、全閉状態に切り替えることができるようになっている。まずはこの定格除湿モードにおいては小開口状態とする。この結果、吸熱器８には、吸気口１から上述した除湿ローター１０の放湿部１１を通過した空気と、吸気口１Ａから風量調整手段１３を通過した除湿ローター１０の放湿部１１を通過していない空気とが供給されることになる。
【００２６】
すなわち、このように吸気口１Ａから放熱器６や除湿ローター１０を通過しない空気を吸熱器８に供給する理由は、吸気口１Ａから空気を供給しない場合と比較して除湿ローター１０の吸湿領域の通過風量が増加することによって、除湿ローター１０の吸湿量が増加し除湿能力を向上させるためである。
【００２７】
この場合ヒーター１１ＡがＯＦＦであるため、除湿ローター１０の水分放湿能力が減少するため、除湿ローター１０の吸放湿のバランスにより、吸気口１Ａからの空気の供給はヒーター１１ＡをＯＮした時と比べて少量とする所に最適混合量が存在する。
【００２８】
そして、このモードでは省エネルギーで必要除湿能力を得ることができる。
【００２９】
次に、衣類を素早く乾燥したいときのパワフル衣類乾燥モードにおいては、圧縮機５、送風手段９、駆動手段１５をＯＮ状態とし、ヒーター１１ＡもＯＮとし、さらに風量調整手段１３は大開口状態とする。このように衣類を素早く乾燥したいときはヒーター１１ＡをＯＮ状態、風量調整手段１３を大開口状態とすれば、放熱器６から除湿ローター１０の放湿部１１に供給される空気が加熱され、さらに吸気口１Ａから風量調整手段１３を通過した除湿ローター１０の放湿部１１を通過していない空気が大風量で供給されることになる。
【００３０】
すなわち、このように吸気口１Ａから放熱器６や除湿ローター１０を通過しない空気を吸熱器８に大量供給する理由は、吸気口１Ａから空気を供給しない場合と比較してヒーター１１Ａを通過する風量が減少しヒーター１１Ａの温度が上昇することによって、除湿ローター１０からの放湿量が増加し、さらに、除湿ローター１０の吸湿領域の通過風量が増加することによって、除湿ローター１０の吸湿量が増加し、結果として除湿能力を向上させるためである。また、吹出し風量が最大となるため衣類に大量の空気が供給されることにより、衣類乾燥能力が向上する。
【００３１】
次に、冬季の低温除湿モードにおいては、圧縮機５、送風手段９、駆動手段１５をＯＮ状態とし、ヒーター１１ＡもＯＮとし、さらに風量調整手段１３は中開口状態とする。このように低温時においてはヒーター１１ＡをＯＮ状態、風量調整手段１３を中開口状態とすれば、放熱器６から除湿ローター１０の放湿部１１に供給される空気が加熱され、さらに吸気口１Ａから風量調整手段１３を通過した除湿ローター１０の放湿部１１を通過していない空気が中風量で供給されることになる。
【００３２】
すなわち、このように吸気口１Ａから放熱器６や除湿ローター１０を通過しない空気を吸熱器８に中量供給する理由は、吸気口１Ａから空気を供給しない場合と比較してヒーター１１Ａを通過する風量が減少しヒーター１１Ａの温度が上昇することによって、除湿ローター１０からの放湿量が増加し、さらに、除湿ローター１０の吸湿領域の通過風量が増加することによって、除湿ローター１０の吸湿量が増加し、結果として除湿能力を向上させるためである。
【００３３】
この場合ヒーター１１ＡがＯＮであるため、除湿ローター１０の水分放湿能力が増加するため、除湿ローター１０の吸放湿のバランスにより、吸気口１Ａからの空気の供給はヒーター１１ＡをＯＦＦした時と比べて多量とする。
【００３４】
このモードではヒーター１１ＡをＯＮし時に最大能力を得るために最適な風量バランスとすることができる。
【００３５】
次に、夏季の冷風モードにおいては、圧縮機５、送風手段９、駆動手段１５をＯＮ状態とし、ヒーター１１ＡはＯＦＦとし、さらに風量調整手段１３は大開口状態とする。このように高温時においてはヒーター１１ＡをＯＦＦ状態、風量調整手段１３を大開口状態とすれば、吸気口１Ａから風量調整手段１３を通過した除湿ローター１０の放湿部１１を通過していない空気が大風量で供給されることになる。
【００３６】
すなわち、ヒーター１１ＡをＯＦＦし空気が加熱されないようにすることに加え、このように吸気口１Ａから放熱器６や除湿ローター１０を通過しない空気を吸熱器８に大量供給する理由は、吸熱器８を通過する風量を最大として吸熱量を増加させ、通過する空気の温度を下げ、かつ、吹出し風量を最大とすることによって冷風能力を向上させるためである。
【００３７】
次に、冬季の極低温時においては（蒸発温センサーが所定の温度以下を検知した場合）、自動的に除霜モードで運転する。このときは、圧縮機５はＯＦＦ、送風手段９はＯＮ、駆動手段１５をＯＮ状態とし、ヒーター１１ＡもＯＮ状態とし、さらに風量調整手段１３は全閉状態とする。すなわち、極低温時においては圧縮機５を停止することに加え、風量調整手段１３を全閉状態として吸気口１Ａからの空気を吸熱器８に供給しない。その理由は、ヒーター１１Ａで加熱された高温の空気のみを吸熱器８に供給することにより素早く吸熱器８の温度を上げて吸熱器８の着霜を溶解し、吸熱器８の着霜による風路の閉塞を防止するためである。但し、除霜モード運転では除湿されないため所定時間除霜モードで運転後は除霜モード運転に入る前に設定されていた運転モードに戻る。
【００３８】
なお、本実施形態において、風量調整手段１３は、本体ケース３内に内蔵させているが、その理由は、風量調整手段１３は回転駆動させるものであるので、外力によって変形・損傷をさせないためである。また、吸気口１からの送風路を、吸気口１Ａからの送風路の上方に配置した理由は、メインとなる送風路、つまり圧縮機５、放熱器６、膨張手段７、吸熱器８、送風手段９、除湿ローター１０を設けた送風路がメインとなるのでこれらのメインとなる送風路を排気口２に近ずけることにより風路抵抗を小さくするためである。
【００３９】
また、同じ理由により本体ケース３の外周面の上方に吸気口１、下方に吸気口１Ａを設け、この本体ケース３の上面に排気口２を設けている。
【００４０】
以下本実施形態における特徴点について説明する。
【００４１】
図１および２に示すごとく、本実施形態における除湿ローター１０は、ローターケース１６とローターケース１７との間に回転自在に設けられ、これによって除湿体１８が構成されている。
【００４２】
ローターケース１６は、平板状であって、中央に円形の開口１９があって、この開口１９の開口縁２０に円環状の立ち上がり壁２１があり、開口縁２０から開口１９の中心に向かって２本の桟２２が伸びておりこの中心部分においてローターケース１７方向へ伸びる回転軸２３が形成されている。そしてこの回転軸２３に除湿ローター１０の中心の軸孔２４を回転自在に嵌合させている。この嵌合状態において軸孔２４からローターケース１７側に突出した部分にはワッシャー２５と円環状のバネ体２６を嵌合させ、この状態でローターケース１７をローターケース１６方向に組み合わせる。このとき、このローターケース１６の立ち上がり壁２１がローターケース１７の外周縁に設けられた立ち上がり壁２７の外周に嵌合される。バネ体２６の円環状面は除湿ローター１０側とローターケース１７側に向けて交互に波打った形状としているので、ローターケース１６とローターケース１７の嵌合状態においては、このバネ体２６がワッシャー２５を介して除湿ローター１０をローターケース１６側に押し付ける状態となる。
【００４３】
さて、除湿ローター１０のローターケース１６側の面には、半径方向における中ほどと、外周部分とに各々円環状のレール２８とレール２９を設けている。このレール２８とレール２９は除湿ローター１０の中心から外方向に広がる複数の桟３２と一体に形成されている。内側のレール２８に対向するローターケース１６の２本の桟２２の中ほどには、いずれも突起３０が設けられており、外側のレール２９に対向するローターケース１６の開口１９の外周には、円環状の突起３１が設けられている。これらの突起３０及び円環状の突起３１は、例えばＰＥＴのような樹脂を材料としてローターケース１６と一体的に成型されている。レール２８及びレール２９は、例えばステンレスのような金属を材料として用いて、その表面は平滑面に形成されている。また、これらレール２８及びレール２９は、各々の対向する突起３０及び円環状の突起３１よりも大きい幅に形成されている。これら内側のレール２８と外側のレールレール２９は、バネ体２６が除湿ローター１０をローターケース１６方向に押し付けることにより、ローターケース１６の突起３０および円環状の突起３１に各々付勢される状態となる。この結果、上述の多様な運転モードにおいて、圧縮機５が動作して圧縮機５の振動が除湿ローター１０に伝わったとしても、除湿ローター１０はローターケース１６と常に接しているので振動が抑制され、いわゆるビビリ音が発生しない。この結果として静音化を実現できるのである。
【００４４】
なお、本実施の形態において、振動抑制手段は、除湿ローター１０の表裏面の少なくとも一方に設けた円形のレール２８又はレール２９と、この円形のレール２８又はレール２９にローターケース１６内壁面から押し当てた突起３０又は円環状の突起３１とにより構成しているが、その理由は、この円形のレール２８又はレール２９と突起３０又は円環状の突起３１が常に接触した状態で摺動することにより、除湿ローター１０がローターケース１６と常に接しているので振動が抑制され、静音化を実現できるのである。
【００４５】
また、本実施形態においては、この除湿ローター１０の表裏面の少なくとも一方に複数の円形のレール２８及びレール２９を設け、これら複数の円形のレール２８及びレール２９にローターケース１６内壁面から突起３０及び円環状の突起３１を押し当てたものとしている。すなわち、円形のレール２８及びレール２９と突起３０及び円環状の突起３１とが複数箇所で接触した状態で摺動させることにより、１箇所で接触するよりも接触面積が増えて接触状態が安定するため、除湿ローター１０の振動をより効果的に抑制し、静音化を実現できるためである。
【００４６】
また、本実施形態においては、複数の円形のレール２８及びレール２９は、除湿ローター１０の表裏面の少なくとも一方の中心から外方に放射状に伸びる桟と一体に形成したものとしているが、その理由は、一体に形成した円形のレール２８及びレール２９と桟を除湿ローターの表面に固着することにより、円形のレール２８及びレール２９が突起３０及び円環状の突起３１から常に押圧されていても円形のレール２８及びレール２９の位置がズレることがなく、結果として、長期間、除湿ローター１０がローターケース１６に押付けられた状態を維持することができるので、静音化の信頼性を確保できるのである。
【００４７】
また、本実施形態においては、円形のレール２８又はレール２９の幅は対向する突起３０又は円環状の突起３１の幅よりも大きくしたものとしているが、その理由は、円形のレール２８又はレール２９の幅を対向する突起３０又は円環状の突起３１の幅よりも大きくすることにより、円形のレール２８又はレール２９に突起３０又は円環状の突起３１が押付けられた状態で除湿ローター１０が回転する際に若干位置がズレが生じても、レールの幅に余裕を持たせているので、円形のレール２８又はレール２９から突起３０又は円環状の突起３１が外れることがなく、結果として、長期間、除湿ローター１０がローターケース１６に押付けられた状態を維持できるので、静音化の信頼性を確保できるのである。
【００４８】
また、本実施形態においては、円形のレール２８及びレール２９の表面は平滑面としているが、その理由は、円形のレール２８及びレール２９の表面に凹凸があると、押付けられた突起３０及び円環状の突起３１がこの凹凸に衝突するために生じる衝突音が騒音の原因となるばかりでなく、除湿ローター１０がスムーズに回転せず除湿能力が低下する原因となるためである。
【００４９】
また、本実施形態においては、円形のレール２８及びレール２９と突起３０及び円環状の突起３１の一方を金属、他方を樹脂により形成したものとしているが、その理由は、金属と樹脂の異種材料を摺動するので、金属同士又は樹脂同士である場合より、摺動抵抗が少なく摺動面の摩擦による磨耗量も少ないので、結果として、長期間、静音化の信頼性を確保できるのである。
【００５０】
また、本実施形態においては、突起を円環状としたものとしているが、その理由は、突起を円環状とすることにより、円環状の突起３１が円形のレール２９と常に円環状の面で接した状態で摺動するので、円環状ではない突起よりも接触面積が大きくなり接触状態が安定するため、除湿ローター１０の振動をより効果的に抑制し、静音化を実現できるのである。
【００５１】
また、本実施形態においては、振動抑制手段は、除湿ローター１０を軸支した回転軸２３に装着したバネ体２６により構成したものとしているが、その理由は、除湿ローター１０をローターケース１６方向に押し付けるために、バネ体２６の弾性力を利用するためである。この結果、上述の如く、静音化を実現できるのである。
【００５２】
また、本実施形態においては、バネ体２６は、円環状で、この円環状面は除湿ローター１０側とローターケース１６側に向けて交互に波打った形状としているが、その理由は、バネ体２６を円環状にすることにより、除湿ローター１０を軸支した回転軸２３に貫入して装着できるので除湿ローター１０の中央部を付勢することにより、除湿ローターが傾斜せず、除湿ローター１０を安定して回転させることができる。また、バネ体２６の円環状面を除湿ローター１０側とローターケース１６側に向けて交互に波打った形状としているので、回転軸２３に、除湿ローター１０、ワッシャー２５、バネ体２６の順に貫入して装着すれば、このバネ体２６が除湿ローター１０をローターケース１６方向にワッシャー２５を介して押し付けることができる。この結果、圧縮機５が動作して圧縮機５の振動が除湿ローター１０に伝わったとしても、除湿ローター１０はローターケース１６と常に接しているので振動が抑制され、いわゆるビビリ音が発生しないので、静音化を実現できるのである。
【産業上の利用可能性】
【００５３】
以上のように本発明は、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けると共に、この送風手段の風路であって、放熱器と吸熱器の間に除湿体を設け、この除湿体はローターケース内に除湿ローターを回動状態に設けた構成とし、前記除湿ローターの表裏面の少なくとも一方と前記ローターケースの内壁面とで振動抑制手段を形成したものであり、除湿装置の静音化を図ることができるものである。
【００５４】
すなわち、本発明では、前記除湿ローターの表裏面の少なくとも一方と前記ローターケースの内壁面とで振動抑制手段を形成したものであるので、たとえ圧縮機の振動が除湿ローターに伝わっても、振動抑制手段により静音化させることができるのである。
【００５５】
また、この振動抑制手段は、除湿ローターの表裏面の少なくとも一方に設けた円形レールと、この円形レールにローターケース内壁面から押し当てた突起とにより構成したものであるので、この円形レールとローターケースが常に接触した状態で摺動することにより、除湿ローターがローターケースと断続的に接触せず振動しないため静音化させることができるものであり、家庭用や事務所用などの、除湿装置として活用が期待されるものである。
【図面の簡単な説明】
【００５６】
【図１】本発明の一実施形態の振動抑制手段を示す分解斜視図
【図２】同振動抑制手段を示す分解斜視図
【図３】同断面図
【図４】同運転モードと制御の関係を示す説明図
【図５】同風量調整手段を示す斜視図
【符号の説明】
【００５７】
１      吸気口
１Ａ    吸気口
２      排気口
３      本体ケース
４      ヒートポンプ
５      圧縮機
６      放熱器
７      膨張手段
８      吸熱器
９      送風手段
１０    除湿ローター
１１    放湿部
１１Ａ  ヒーター
１２    吸湿部
１３    風量調整手段
１４    貯水タンク
１５    駆動手段
１６    ローターケース
１７    ローターケース
１８    除湿体
１９    開口
２０    開口縁
２１    立ち上がり壁
２２    桟
２３    回転軸
２４    軸孔
２５    ワッシャー
２６    バネ体
２７    立ち上がり壁
２８    レール
２９    レール
３０    突起
３１    円環状の突起
３２    桟
【図１】
2009189996.tif 000003
【図２】
2009189996.tif 000004
【図３】
2009189996.tif 000005
【図４】
2009189996.tif 000006
【図５】
2009189996.tif 000007